(57)【特許請求の範囲】
【請求項１】
本体（１）の基部（３）より基部（３）の軸線方向に伸びた化粧料（９）を収納する化粧料収納部（６）と塗布具（１１）を収納する塗布具収納部（７）と、該基部（３）に抜脱可能に嵌合し、化粧料収納部（６）と塗布具収納部（７）を被うキャップ（２）とよりなり、
該本体（１）及びキャップ（２）の横断面形状が多角形状をしており、前記化粧料収納部（６）の化粧料（９）を収納する化粧料収納面（８）を横断面の対角線と平行に設け、該化粧料収納面（８）の縁部に基部（３）の軸線と平行に化粧料収納面（８）を被う中蓋（１３）を蝶着し、該中蓋（１３）により前記化粧料収納部（６）と塗布具収納部（７）とを区画し、化粧料収納面（８）を容器で得られるほぼ最大の面積としたことを特徴とする化粧料容器。
【請求項２】
前記中蓋（１３）の前記化粧料収納面（８）と対向した面に、鏡（１４）が貼着されてなり、鏡（１４）を容器で得られるほぼ最大の面積としたことを特徴とする請求項１記載の化粧料容器。
【請求項３】
前記塗布具収納部（７）の基部（３）側側壁に、塗布具（１１）を抜脱可能に挿入保持する挿入孔（１５）が穿設されてなり、塗布具（１１）の全長を長くできることを特徴とする請求項１，２いずれかの項記載の化粧料容器。
【請求項４】
前記塗布具（１１）の横断面形状が縦横比の大きい非円形状をしており、該塗布具（１１）が塗布具収納部（７）内に、横断面の長径方向と前記化粧料収納面（８）が平行になるよう収納されてなり、塗布具（１１）の幅を広くできることを特徴とする請求項１，２，３いずれかの項記載の化粧料容器。
【発明の詳細な説明】
【技術分野】
【０００１】
本発明は、口紅、アイシャドウ、アイブロウ、などの固形若しくは練り状の化粧料を底の浅い皿体に充填して収納した化粧料容器に関するものであり、さらに詳しく言えば、化粧料のほかに化粧に必要な塗布具や鏡を効率良く、使い勝手良く収納した化粧料容器に関するものである。
【背景技術】
【０００２】
従来、口紅、アイシャドウ、アイブロウ、などの固形若しくは練り状の化粧料と、それに対応した塗布具などをひとつの容器に収納した化粧料容器は数多く提案されている。このうち特許文献１及び特許文献２には、台座より軸心方向に伸びた支持部を成形し、この支持部の一面に、固形若しくは練り状の化粧料を充填した皿体を収納し、反対面に収納した化粧料に対応する塗布具を収納保持する窪みを設け、台座に嵌合するキャップにより支持部を覆う化粧料容器が提案されている。また、特許文献３には、塗布具、化粧料を収容した基体を筒状ケース体内にスライド自在に収納し、基体の外側面に鏡を貼着し、基体をスライドさせることによって鏡を外部に露出させ、鏡を使用する化粧料容器が提案されている。
【先行技術文献】
【特許文献】
【０００３】
【特許文献１】実開昭５８−８６０１４号公報
【特許文献２】実開昭６２−１８２１１３号公報
【特許文献３】実開昭６４−３３９２３号公報
【発明の概要】
【発明が解決しようとする課題】
【０００４】
特許文献の構成の場合、容器形態が通常の棒状化粧料容器と同じ筒状の形態となるため、ハンドバッグなどに入れ携帯するのに適した形状となっていた。しかし、特許文献１及び２の容器を使用する場合、キャップを抜脱し、容器を横にして塗布具を取り出し、容器を逆さにして塗布具に化粧料を付着させ塗布するという手順となり、使い勝手があまり良くなかった。同様に、特許文献３の容器を使用する場合も、化粧料の収納面と鏡の貼着面が同一面でないため、容器を９０度回転させて化粧料を塗布具に付着させ、再度容器を９０度回転させて鏡を見ながら塗布するというように、使い勝手が良くなかった。
【課題を解決するための手段】
【０００５】
本体１の基部３より軸線方向に伸びた化粧料９を収納する化粧料収納部６と塗布具１１を収納する塗布具収納部７と、この基部３に抜脱可能に嵌合し、化粧料収納部６と塗布具収納部７を被うキャップ２とよりなり、この本体１及びキャップ２の横断面形状が多角形状をしており、前記化粧料収納部６の化粧料９を収納する化粧料収納面８を横断面の対角線と平行に設け、この化粧料収納面８の縁部に軸線と平行に化粧料収納面８を被う中蓋１３を蝶着し、この中蓋１３により前記化粧料収納部６と塗布具収納部７とを区画する。
【０００６】
また、本体１及びキャップ２の横断面形状を縦横比の大きい非円形状とし、前記化粧料収納部６の化粧料９を収納する化粧料収納面８を横断面の長径方向と平行に設けても良いものである。
【０００７】
また、前記中蓋１３の前記化粧料収納面８と対抗した面に、鏡１４を貼着しても良いものである。
【０００８】
また、前記塗布具収納部７の基部３側側壁に、塗布具１１を抜脱可能に挿入保持する挿入孔１５を穿設しても良いものである。
【０００９】
前記塗布具１１の横断面形状が縦横比の大きい非円形状をしており、この塗布具１１を塗布具収納部７内に、横断面の長径方向と前記化粧料収納面８が平行になるよう収納しても良いものである。
【発明の効果】
【００１０】
本発明は以上のように、化粧料収納面８を容器横断面形状の対角線と平行か、若しくは長径方向と平行に設けたため、化粧料収納面８を容器外形状の割りに大きな面積とすることができ、結果化粧料９の露出面積を大きくすることができ、塗布具１１に化粧料を付着させる際の使い勝手が向上する。
【００１１】
同様に、化粧料収納面８を被う中蓋１３も容器外形状の割りに大きな面積を持っているため、この中蓋１３に貼着される鏡１４も大きくすることができ、鏡１４の使い勝手も良くなる。さらに鏡１４は、中蓋１３の化粧料収納面８に相対する面に貼着しているため、中蓋１３を開いたとき、鏡１４と化粧料収納面８の化粧料９が同一の視野中に収まり、鏡１４を見ながらの塗布作業が行える。
【００１２】
本発明は以上のような配置であるため、キャップ２を抜脱し、塗布具１１を取り出し、中蓋１３を開いて鏡１４を見ながら塗布具１１に化粧料９を付着させて塗布するという一連の操作が本体１を持ち替えたり、回転させたりすることなく行えるため、使い勝手が極めて向上する。
【図面の簡単な説明】
【００１３】
【図１】本発明一実施例の化粧料容器の使用状態の斜視図。
【図２】図１における本体の平面図。
【図３】本発明一実施例の化粧料容器のキャップ嵌合状態の斜視図。
【図４】図３の状態の化粧料容器の断面図。
【図５】本発明一実施例の化粧料容器のキャップ抜脱状態の斜視図。
【図６】図２におけるＡ−Ａ’断面図。
【図７】本発明その他の実施例の化粧料容器の使用状態の斜視図。
【図８】図７におけるＢ矢視部断面図。
【図９】本発明化粧料容器に収納される塗布具の断面図。
【発明を実施するための形態】
【００１４】
【図１】本発明一実施例の化粧料容器の使用状態の斜視図。
【図２】図１における本体の平面図。
【図３】本発明一実施例の化粧料容器のキャップ嵌合状態の斜視図。
【図４】図３の状態の化粧料容器の断面図。
【図５】本発明一実施例の化粧料容器のキャップ抜脱状態の斜視図。
【図６】図２におけるＡ−Ａ’断面図。
【図７】本発明化粧料容器に収納される塗布具の断面図。
【００１５】
前記収納部４は、横断面の略四角形状の対角で分割されており、それぞれ横断面が略三角形状の化粧料収納部６と塗布具収納部７とに分かれている。この化粧料収納部６は、本体１の基部３より略三角柱状に立設している。この化粧料収納部６の、塗布具収納部７と分割された面は、化粧料収納面８となっており、この化粧料収納面８より収納凹所３１を刻設している。
【００１６】
この収納凹所３１には、皿体１０を収納している。この皿体１０は、合成樹脂により成形しており、仕切り３２が設けられ、４種類の口紅、アイシャドウ、アイブロウ、などの固形若しくは練り状の化粧料９を充填している。
【００１７】
この化粧料収納面８の縁部には、軸線と平行に蝶番１２が設けられ、中蓋１３が開閉自在に蝶着している。この中蓋１３は、閉じたとき前記化粧料収納面８を被い、化粧料収納部６と塗布具収納部７を区画しており、開くとこの区画が除去される。この中蓋１３の化粧料収納面８に向かい合う面には、鏡１４が貼着され、中蓋１３を開いたとき鏡１４と化粧料収納面８が連続した面となる。
【００１８】
また、中蓋１３の基部がわ端部側壁１８には、係合突部１９を突設し、前記基部３側壁には、中蓋１３が閉じたとき係合突部１９が係合し、中蓋１３が不用意に開かないように保持する係合部２０を突設している。この係合突部１９と係合部２０の係合力は、携帯時などの衝撃では容易に外れなく、中蓋１３の開放操作では容易に外れるように調整している。
【００１９】
塗布具収納部７の基部３がわ側面には、塗布具１１が挿入される挿入孔１５が穿設されている。この挿入孔１５は縦横比の大きい略トラック形状をしており、長径が前記化粧料収納面８と平行に位置している。この挿入孔１５の長辺部１６内面には、弾性保持部１７が突設している。
【００２０】
次に、塗布具収納部７に収納される塗布具１１について説明する。塗布具１１は両端が開口した本体パイプ２１と、両端に塗布部２２、２３を止着したスライダー２４とよりなっている。
【００２１】
本体パイプ２１は、横断面が前記塗布具収納部７の挿入孔１５の形状よりも相似でやや小さいトラック形状をしており、挿入孔１５に抜き差し可能になっている。この挿入孔１５内壁に設けられた弾性保持部１７は本体パイプ２１外壁に弾性を有して当接しており、塗布具１１が挿入孔１５より不用意に脱落しないようになっている。この本体パイプ２１と弾性保持部１７の保持力は、携帯時などの衝撃では容易に外れなく、塗布具１１の抜き差し操作では容易に外れるように調整している。
【００２２】
この本体パイプ２１内には、スライダー２４が摺動自在に内装している。このスライダー２４の側壁には、スライドボタン２５が突設している。このスライドボタン２５の接合部には、スライドボタン２５の幅よりも若干幅の広いストッパー２６を設けている。また、スライダー２４のスライドボタン２５下方には、切り欠き２７を設け、スライドボタン２５が弾性を有して上下動するようになっている。また、スライダー２４の両端には、ブラシ毛を口金２９、３０により保持した塗布部２２、２３を設けている。
【００２３】
前記本体パイプ２１側壁には、スライダー２４のスライドボタン２５が貫通するガイド溝２８を穿設している。このガイド溝２８の幅は、前記スライドボタン２５の幅よりも広く、ストッパー２６の幅よりも狭くなっている。
【００２４】
このガイド溝２８の両端及び中央には、ロック部３３、３４及び中央ロック部３５を設けている。このロック部３３，３４及び中央ロック部３５の長さ及び幅は前記スライダー２４のストッパー２６よりも若干大きくなっており、ストッパー２６がロック部３３、３４及び中央ロック部３５に係合し、スライダー２４の摺動をロックすることができる。そして、前記スライドボタン２５を下方に押圧することによってストッパー２６がもぐり、ストッパー２６とロック部３３、３４若しくは中央ロック部３５の係合が解除し、スライド操作が可能となる。
【００２５】
このロック部３３，３４は、ストッパー２６とロック部３３、３４が係合したとき、スライダー２４の端部に止着された塗布部２２、２３が本体パイプ２１の端部より突出して塗布可能となる位置に設けている。また中央ロック部３５は、ストッパー２６とロック部３３、３４が係合したとき、スライダー２４の端部に止着された塗布部２２、２３の双方が本体パイプ２１内に収納する位置に設けている。
【実施例】
【００２６】
以上、発明を実施するための形態を図によって説明したが、図は実施の一例であり、本発明を限定するものではない。
【００２７】
本体１及びキャップ２の横断面形状は略四角形状について説明したが、横断面は四角形状ばかりでなく、多角形状若しくは、楕円形、トラック形などの長手、短手方向のある形状に対して実施可能である。この横断面が多角形状の場合、化粧料収納面は対角線と平行に設け、横断面が長手、短手方向のある形状の場合、化粧料収納面は長手方向と平行に設ける。（図７及び図８）
【００２８】
前記塗布部２２、２３はブラシ毛を口金２９，３０によって束ねた構成を説明したが、塗布具に装着する塗布部は、ブラシ毛を束ねた筆、スポンジチップ、軸と一体となった成形ブラシ、コームなど自由に設定可能である。同様に、塗布具１１（本体パイプ２１）の横断面形状もトラック形状について説明したが、収納する塗布部の形状にあわせ、自由に設定可能である。たとえば、塗布部がリップブラシ、アイライナーブラシなどの丸筆の場合、塗布具（本体パイプ）は円筒形状となる。また、塗布部がシャドウブラシなどの平筆の場合や、スポンジチップの場合には、塗布具（本体パイプ）の横断面形状は略楕円形状や略トラック形状となる。
【００２９】
前記化粧料収納面８に一ヶ所の収納凹所３１を刻設し、この収納凹所３１に収納される皿体１０は、合成樹脂製で、４つに区画されたもの１つを収納する構成について説明したが、収納凹所の数、収納区画数、皿体の材質、皿体の収納数など設定は自由である。たとえば、化粧料収納面に３ヶ所の収納凹所を刻設し、この収納凹所それぞれに１つに区画された金属製の皿体を収納することも可能である。この場合、収納できる化粧料は３種になる。
【００３０】
前記皿体１０には、４種類の化粧料９が収納可能となっているが、収納できる化粧料の組み合わせは自由である。たとえば、収納する化粧料を口紅、アイシャドウ、アイライナーなど、異なる種類を組み合わせたり、口紅など単一の化粧料に限定し、異なる色を組み合わせたり、異なる種類、色を組み合わせたりすることが可能である。
【００３１】
前記中蓋１３を閉じた状態で保持する閉鎖機構は、係合突部１９と係合部２０の係合機構ばかりでなく、説明した以外の係合機構や、磁石による吸着機構も実施可能である。またこの閉鎖機構は必須ということではなく、特に機構を設けず、蝶番のフリーストップに依存した構成でも良い。
【００３２】
前記塗布具収納部７には、１本の塗布具１１が収納できる構成を説明したが、複数本の塗布具を収納できるようにすることも可能である。この場合、すべての塗布具を抜脱した後、中蓋を開く必要がある。
【００３３】
前記挿入孔１５の形状は、前記塗布具１１の本体パイプ２１の横断面形状と相似形状にした構成を説明したが、それ以外の形状にして、収納できる塗布具に汎用性を持たせることも可能である。この場合、挿入孔側面に突設する弾性保持部の形状を調整することにより可能となる。
【００３４】
前記塗布具１１は、両端から異なる塗布部を繰り出すスライドタイプの塗布具について説明したが、その他の構成の塗布具も収納可能であることはいうまでもない。たとえば、塗布部の繰上げ下げ機構のない筆タイプや、片方のスライドタイプなど、回転繰り出し機構などである。特に塗布部の出没機構のない筆タイプの場合、塗付部を挿入孔に挿入する際に塗布部が損傷し易くなるため、軸部分を挿入保持させる。
【符号の説明】
【００３５】
１      本体
２      キャップ
３      基部
６      化粧料収納部
７      塗布具収納部
８      化粧料収納面
９      化粧料
１１      塗布具
１３      中蓋
１４      鏡
１５      挿入孔
【図１】
0005910983.tif 000002
【図２】
0005910983.tif 000003
【図３】
0005910983.tif 000004
【図４】
0005910983.tif 000005
【図５】
0005910983.tif 000006
【図６】
0005910983.tif 000007
【図７】
0005910983.tif 000008